(57)【要約】【課題】容器のための蓋を提供すること。【解決手段】蓋は、本体と、本体に対して移動可能に結合されたアクチベータであって、本体に対して第１の位置と第２の位置との間で移動可能であるアクチベータと、本体に対して移動可能に結合された流体流動部材であって、本体に対して第１の位置と第２の位置との間で移動可能である流体流動部材と、流体流動部材を通って延びる流体経路と、流体流動部材及びアクチベータに対して移動可能に結合された接続部材であって、第１の位置と第２の位置との間で移動可能である接続部材と、を備える。【選択図】図１
2020114755.tif 000002
【特許請求の範囲】
【請求項１】
蓋であって、
本体と、
前記本体に対して移動可能に結合されたアクチベータであって、前記本体に対して第１の位置と第２の位置との間で移動可能であるアクチベータと、
前記本体に対して移動可能に結合された流体流動部材であって、前記本体に対して第１の位置と第２の位置との間で移動可能である流体流動部材と、
前記流体流動部材を通って延びる流体経路と、
前記流体流動部材及び前記アクチベータに対して移動可能に結合された接続部材であって、第１の位置と第２の位置との間で移動可能である接続部材と、
を備え、
前記アクチベータをその第１の位置から第２の位置へ移動させると、前記接続部材と前記流体流動部材とがそれぞれの第１の位置から第２の位置へ移動するように、前記アクチベータ、前記接続部材及び前記流体流動部材が相互接続されており、
前記アクチベータをその第２の位置から第１の位置へ移動させると、前記接続部材と前記流体流動部材とがそれぞれの第２の位置から第１の位置へ移動するように、前記アクチベータ、前記接続部材及び前記流体流動部材が相互接続されており、
前記流体流動部材がその第１の位置にあるとき、前記流体経路を通る通路が少なくとも部分的に遮断され、
前記流体流動部材がその第２の位置にあるとき、前記流体経路を通る前記通路が開く、蓋。
【請求項２】
前記流体流動部材が前記本体に対して旋回可能に結合され、前記アクチベータが該本体に対して旋回可能に結合される、請求項１に記載の蓋。
【請求項３】
前記流体流動部材が前記接続部材に対して旋回可能に結合され、前記アクチベータが該接続部材に対して旋回可能に結合される、請求項１に記載の蓋。
【請求項４】
前記接続部材の一方の端部が前記流体流動部材に対して旋回可能に結合され、前記接続部材の反対側の端部が前記アクチベータに対して旋回可能に結合される、請求項１に記載の蓋。
【請求項５】
前記アクチベータが、第１の旋回可能結合部で前記蓋の本体に旋回可能に結合され、前記接続部材が、第２の旋回可能結合部で前記アクチベータに旋回可能に結合され、前記流体流動部材が、第３の旋回可能結合部で前記蓋の本体に旋回可能に結合され、前記接続部材が、第４の旋回可能結合部で前記流体流動部材に旋回可能に結合される、請求項１に記載の蓋。
【請求項６】
前記第１の旋回可能結合部及び前記第３の旋回可能結合部が、前記蓋に対して固定された位置に配置され、
前記第２の旋回可能結合部及び前記第４の旋回可能結合部が、前記蓋に対して固定されていない位置に配置される、請求項５に記載の蓋。
【請求項７】
前記流体流動部材が前記アクチベータに対して移動可能である、請求項１に記載の蓋。
【請求項８】
前記流体流動部材がマウスピースを含む、請求項１に記載の蓋。
【請求項９】
前記流体経路が、前記流体流動部材内に少なくとも部分的に配置される、請求項１に記載の蓋。
【請求項１０】
前記流体流動部材がその第１の位置にあるとき、前記接続部材が、前記流体経路を挟んで前記流体経路を通る流体流動を抑制するように構成されている、請求項１に記載の蓋。
【請求項１１】
前記流体経路が可撓性部分を含み、前記流体流動部材がその第１の位置にあるとき、前記接続部材が、前記流体経路の可撓性部分を挟んで前記流体経路を通る流体流動を抑制するように構成されている、請求項１０に記載の蓋。
【請求項１２】
前記流体流動部材がその第１の位置にあるとき、前記流体経路の一部が曲げられている、請求項１に記載の蓋。
【請求項１３】
前記流体流動部材がその第１の位置にあるとき、前記流体経路の一部が、少なくとも９０度曲げられている、請求項１２に記載の蓋。
【請求項１４】
前記アクチベータ、前記接続部材及び前記流体流動部材がそれぞれの第１の位置にあるとき、該アクチベータが少なくとも部分的に前記流体流動部材の上端部を包囲する、請求項１２に記載の蓋。
【請求項１５】
前記本体が、前記蓋が容器に取り付けられると、容器の口の少なくとも一部を覆い、
前記本体が、前記流体経路を通る通路と流体連通する第１の開口部を備え、
前記本体が、第２の開口部であって、第２の開口部が開放されるとそこから空気が前記容器に入る第２の開口部を備え、
前記アクチベータ、前記接続部材及び前記流体流動部材が間隙を形成し、
前記アクチベータ、前記接続部材及び前記流体流動部材がそれぞれの第２の位置にあるとき、前記間隙が、前記本体の第２の開口部の真上に配置されて空気が前記容器に入ることを可能にし、
前記アクチベータ、前記接続部材及び前記流体流動部材がそれぞれの第１の位置にあるとき、前記間隙が、前記本体の第２の開口部と整列せず、前記本体の第２の開口部が前記アクチベータ、前記接続部材及び前記流体流動部材の少なくとも１つの構成要素によって覆われる、請求項１に記載の蓋。
【請求項１６】
前記アクチベータ、前記接続部材及び前記流体流動部材をそれぞれの第１の位置にロックするロック機構をさらに備える、請求項１に記載の蓋。
【請求項１７】
蓋であって、
本体と、
前記本体に結合されたリンクであって、使用者によって操作可能なアクチベータと、前記アクチベータと相互接続された流体流動部材とを有するリンクと、
前記流体流動部材を通って延びる流体経路と、
を備え、
前記アクチベータが開位置と閉位置との間を移動可能であり、
前記アクチベータの閉位置から開位置への動きによって、前記流体流動部材を閉位置から開位置に動かし、
前記アクチベータの開位置から閉位置への動きによって、前記流体流動部材を前記開位置から前記閉位置に動かし、
前記流体流動部材が前記閉位置にあるとき、前記流体経路が閉じ、
前記流体流動部材が前記開位置にあるとき、前記流体経路が開き、
前記アクチベータ及び前記流体流動部材が、オーバーセンターラッチ機構の部分を形成する、蓋。
【請求項１８】
前記オーバーセンターラッチ機構が、前記アクチベータ及び前記流体流動部材がそれぞれの閉位置にあるときに該アクチベータと該流体流動部材との間に力を生成し、前記力が前記アクチベータ及び前記流体流動部材をそれぞれの閉位置に維持する、請求項１７に記載の蓋。
【請求項１９】
前記アクチベータと前記流体流動部材との間に延在する接続部材をさらに備え、
前記アクチベータ、前記流体流動部材及び前記接続部材が共に前記オーバーセンターラッチ機構を形成する、請求項１８に記載の蓋。
【請求項２０】
蓋であって、
本体と、
前記本体に結合されかつ該本体に対して第１の位置と第２の位置との間において第１の軸線の周りを旋回可能なアクチベータと、
前記本体に結合されかつ該本体に対して第１の位置と第２の位置との間において第２の軸線の周りを旋回可能な流体流動部材と、を備え、
前記アクチベータをその第１の位置へ旋回させることで前記流体流動部材をその第１の位置へ旋回させ、かつ、前記アクチベータをその第２の位置へ旋回させることで前記流体流動部材をその第２の位置へ旋回させるように、前記アクチベータを前記流体流動部材に対して結合し、
前記流体流動部材がその第１の位置にあるとき、前記流体流動部材を通って延びる流体経路が閉じ、
前記流体流動部材がその第２の位置にあるとき、前記流体流動部材を通って延びる前記流体経路が開き、
前記第１の軸線が前記第２の軸線から離間している、蓋。
【請求項２１】
前記流体経路のマウスピースが、前記流体流動部材と前記アクチベータとがそれぞれの第１の位置にあるとき、使用不能であり、
前記流体経路のマウスピースが、前記流体流動部材と前記アクチベータとがそれぞれの第２の位置にあるとき、使用可能である、請求項２０に記載の蓋。
【請求項２２】
前記アクチベータと前記流体流動部材とが、それぞれの第１の位置から第２の位置へ旋回し、かつ、それぞれの第２の位置から第１の位置へ旋回する際に同時に旋回する、請求項２０に記載の蓋。
【請求項２３】
前記アクチベータと前記流体流動部材とが、それぞれの第１の位置から第２の位置へ旋回し、かつ、それぞれの第２の位置から第１の位置へ旋回する際に反対方向に旋回する、請求項２０に記載の蓋。
【発明の詳細な説明】
【技術分野】
【０００１】
本発明は、一般に、容器及び蓋に関し、特に、容器のための蓋に関する。
【背景技術】
【０００２】
従来の容器は、様々な異なるタイプの液体及び流体を保持することができる。例えば、既知の容器は、水、飲料、液体飲料、ソーダ、ジュース、渇き止め剤などを保持することができる。
【０００３】
容器は、家庭、オフィス、ジム、ヘルスクラブ、旅行中など、様々な環境で使用できる。容器は、運動、車の運転、バイクの運転、バス、電車、または飛行機に乗るなどの活動中に使用することもできる。さらに、容器は、職場、仕事場など、様々な作業や取引を行っている間など、他の状況や環境でも使用できる。
【０００４】
多くの公知の容器は、流体を保持するための本体または容器と、流体の流出を防止するための蓋と、を含む。雌ねじ付きボトルキャップ、雄ねじ付きねじキャップまたはトップ、ストッパー、トグルまたはスイング式閉塞物、クラウンキャップ、フリップトップ、及び摩擦または締まり嵌め蓋など、流体の流出を防止するためのいくつかの既知のタイプの閉塞物が存在する。
【０００５】
多くの場合、容器の内容物の漏れを防ぐために、蓋が液密シールを生成することが望ましい。しかしながら、液密である従来の蓋の中には、使用が困難または不便であるものがある。さらに、多くの知られている蓋には、粒子または材料が使用中に固着または捕捉され得る溝または隙間が含まれ得る。さらに、いくつかの既知の蓋は、形状、部品数、複雑な構成、及び構成要素の相互接続のために、使用または清掃が困難であり得る。
【０００６】
場合によっては、従来の容器は、混合を必要とする流体を保持することができる。例えば、従来の容器は、粉末飲料、電解質丸剤、エネルギー飲料、粉ミルク、パンケーキ生地、クレープミックス、ベーキング材料、栄養補助食品、サルサ、ソース、油及び酢、サラダドレッシング、スムージーなどを保持することができる。混合のための流体を保持するこれらのタイプの容器は、流体が蓋から漏れないように、蓋が堅個に閉じられ、蓋が液密であることを必要とすることがある。
【０００７】
容器を振ることによって成分を混合するように設計された既知の容器のいくつかは、開閉が困難で時間がかかる蓋を含むことがある。例えば、蓋が容器にねじ込まれていることがあり、使用者は、内容物を分配するために蓋をねじって外す必要がある場合があり、これは、敏捷性または器用さが制限された使用者には特に困難であり得る。いくつかの既知の容器は、漏れ防止性であるとは限らず、容器を振ったとき、または容器がある角度で置かれていると内容物が漏れることがある。
【０００８】
さらに、運動、作業、園芸、ゲームやスポーツ、ハイキング、登山、通勤などの環境では、容器から飲物を飲みたい人もいるかもしれない。このような状況では、使用者は、迅速にかつ直ちに容器から飲みたいと思うかもしれない。さらに、いくつかの環境では、使用者は、手袋を着用している可能性がある。しかしながら、多くの従来の蓋は、このような状況で使用するのに不便または厄介である。
【先行技術文献】
【特許文献】
【０００９】
【特許文献１】実開昭６１−０４０３４７号公報
【特許文献２】特開２００２−２１１６１３号公報
【発明の概要】
【発明が解決しようとする課題】
【００１０】
したがって、上述の欠点及び問題を解消する装置またはデバイスの必要性が存在する。
【課題を解決するための手段】
【００１１】
１つの態様は、水、ソーダ、液体飲料などの多種多様な液体及び流体と共に使用され得る容器用の蓋である。特に、容器は、１つ以上の液体、飲料、飲物、ジュース、ビタミン強化飲料、エネルギー飲料、渇き止め剤、味付けされた水などを保持することができる。付加的に、容器は、ビタミン、サプリメント、粉末飲料、電解質丸剤、プロティーン粉末、医薬品、粉ミルクなどを含むことができる様々な粉末、混合物及び／または溶液を保持することができる。必要に応じて、容器はまた、固形物及び／または果物、野菜、スープ、ドレッシング、ソース、生地、ベーキング材料などの食料品を含む他のタイプの材料を保持することもできる。容器は、塗料、家庭用洗浄剤などを含む非食用流体をさらに保持することができる。
【００１２】
別の態様は、内容物を所望に応じて撹拌、振り、混合、及び／またはブレンドすることができる容器の蓋である。これにより、プロティーン飲料、シェーク、スムージー、食事代替物、ドレッシング、ソースなどを容器内に生成及び／または保存することができる。都合がよいことに、蓋及び容器は再使用可能であり、詰め替え可能であり、長時間期間にわたって多くの異なる目的のために蓋及び容器を使用することができる。蓋及び容器は、容易に持ち運び及び携帯することもできる。例えば、蓋及び／または容器は、使用者が片手で便利に保持することができる。必要に応じて、蓋及び／または容器を絶縁して、内容物を所望の温度、例えばより低い温度またはより高い温度に保つのを助けることができる。さらに、蓋及び／または容器は、製造及び組み立てを容易にすることができる少数の部品及び構成要素を含むことができる。少数の部品及び構成要素はまた、清掃を容易にすることができ、蓋及び容器を使用しやすくすることができる。
【００１３】
さらに別の態様は、容器に迅速にかつ容易に結合され得る蓋である。必要に応じて、蓋は容器に容易に取り付け及び／または取り外すことができ、これにより蓋及び容器を容易に清掃することができる。蓋はまた、容器が様々な供給源から容易に充填されるようにすることができる。都合がよいことに、蓋は、例えば、容器の意図された使用に応じて、異なるタイプ、サイズ、形状、及び構成の容器に接続することができる。蓋及び容器は組み合わせて使用または販売されてもよく、または蓋及び／または容器が個別にまたは独立して使用及び／または販売されてもよい。
【００１４】
さらに別の態様は、プラスチックから構築されてもよい蓋である。例えば、蓋は射出成形プラスチックから構築されてもよい。しかしながら、蓋は、圧縮成形、ブロー成形、回転成形、熱成形などの他の好適なプロセスから構築することもできる。蓋は、金属、複合材などのような好適な特性及び性質を有する他の材料から構築されてもよいことも理解されよう。都合がよいことに、蓋は、プラスチック、ガラス、金属などから作られた容器に取り付けることができる。
【００１５】
さらに別の態様は、比較的少数の部品から構築することができる蓋であり、蓋を迅速にかつ効率的に製造することができる。蓋はまた、単一の一体構造の一部として一体的に形成された１つ以上の部品または構成要素を含むことができる。例示的な実施形態では、蓋は、容器に接続されるように寸法決めされかつ構成された下部分を含むことができ、下部分は、蓋が容器に接続されることを可能にする１つ以上のねじを含むことができる。蓋は、必要に応じて、容器から選択的に着脱可能であってもよい。蓋はまた、内容物が漏れたり流出したりするのを防ぐのに役立つ液密または水密シールで容器に取り付けることもできる。さらに、蓋は、比較的大きな口または開口部を覆い、容器を容易に充填し、洗浄し、洗浄することができる。蓋を容器に選択的に取り付けることができるが、蓋を容器に永久的に取り付けることができる。
【００１６】
さらなる態様は、以下の１つ以上、アクチベータ、接続部材、及び流体流動部材、を含む蓋である。接続部材は、アクチベータ及び流体流動部材に接続されてもよい。特に、接続部材は、アクチベータ及び流体流動部材の両方に旋回可能に結合されてもよい。例示的な実施形態では、アクチベータ及び流体流動部材は、蓋に旋回可能に結合され得、接続部材は、アクチベータ及び流体流動部材に旋回可能に結合され得る。都合がよいことに、アクチベータの動きが、アクチベータ、接続部材、及び流体流動部材の相互接続のために接続部材及び流体流動部材の動きを引き起こすことができる。
【００１７】
さらなる態様は、流体が容器から流動することを可能にする流体経路を含み得る蓋である。例えば、流体経路は、蓋のアパーチャまたは開口部に接続、整列、配置、または流体連通することができる。流体経路はまた、可撓性の、弾性及び／または屈曲可能な部分を含むことができ、流体経路が曲がったりある角度で配置されたりすることができる。例示的な一実施形態では、流体経路は、流体経路を通る流体流動を防止する角度で曲げられてもよい。流体経路は、使用者の飲みこみ、吸引、または容器から流体を得ることを容易にするマウスピースをさらに含むことができる。
【００１８】
さらに別の態様は、アクチベータ及び流体流動部材が開位置と閉位置との間で可動であることである。アクチベータ及び／または流体流動部材が閉位置にあるとき、流体は、流体流動部材を通って流動することはできない。好ましくは、アクチベータが閉位置にあるとき、流体流動部材が閉位置にあり、流体が流体流動部材を通って流動することができないように、アクチベータ及び流体流動部材は一緒に接続または連結される。さらに、アクチベータが開位置にあるとき、流体流動部材は開位置にあり、流体は流体流動部材を通って流動することができる。接続部材は、アクチベータの動きが流体流動部材を動かすようにアクチベータと流体流動部材とを接続または連結することができる。例えば、アクチベータが開位置に動いた場合、流体流動部材は開位置に動くことができる。一方、アクチベータが閉位置に動く場合、流体流動部材は、閉位置に動くことができる。
【００１９】
さらに別のさらなる態様は、流体流動部材、接続部材及び／またはアクチベータが閉位置にあるとき、流体経路を閉じることができることである。例えば、流体流動部材、接続部材、及びアクチベータが閉位置にあるとき、流体が流体経路を通って容器から出るのを防止することができる。より詳細には、流体流動部材、接続部材、及びアクチベータが閉位置にあるとき、接続部材は、流体経路の少なくとも一部を挟むか、さもなければ閉じるように寸法決めされかつ構成されることができる。代替的に、流体流動部材、接続部材、及びアクチベータが開位置にあるとき、接続部材は流体経路を挟むまたは閉じることができず、流体経路を通って流体を流動させることができる。
【００２０】
蓋は本体を含むことができ、蓋は容器の口の少なくとも一部を覆うかまたはその上に延在することができる。蓋は取り外し可能であり得、それにより容器の口を容易に充填し、洗浄し、清掃することができる。アクチベータ、接続部材、及び流体流動部材が閉位置にあるとき、蓋は閉じることができ、流体は、流体経路を通って流動することができない。これにより、シールされた及び／または漏れ防止の容器を生成することができる。代替的に、アクチベータ、接続部材、及び流体流動部材が開位置にあるとき、流体が流体経路を通って流動し、使用者が流体を消費することができる。
【００２１】
アクチベータは、蓋に旋回可能に結合されてもよく、アクチベータは、アクチベータの上面からほぼ上方に及び／または外側に延びる、ハンドル、運搬部材、係合部分などの延長部を含んでもよい。延長部は、容器の運搬を容易にすることができるループ形状の構成を有することができる。使用者は、蓋を開くために延長部に力を加えることができる。例えば、延長部への開放力によって、アクチベータ、接続部材、及び流体流動部材を開位置に動かすことができる。都合がよいことに、使用者は蓋の他の部分に触れることができず、これは、使用者の手が汚れているまたは洗われていない、使用者が手袋を着用している、手が汗ばんでいるまたは汗をかいているなどのとき、蓋の使用を容易にすることができる。使用者は、延長部に閉鎖力を加え、アクチベータ、接続部材、及び流体流動部材を閉位置に動かすことができる。
【００２２】
接続部材は、細長い本体及び１つ以上の側壁を含むことができる。いくつかの実施形態では、第１の側壁が本体の第１の側部に配置され、第２の側壁が本体の第２の側部に配置されてもよい。第１及び第２の側壁は、接続部材の本体によって離間されてもよく、第１及び第２の側壁は、ほぼ平行であってもよい。接続部材は、流体流動部材及びアクチベータに旋回可能に結合されてもよい。より詳細には、流体流動部材及びアクチベータは、接続部材の第１及び第２の側壁に旋回可能に結合されてもよい。流体流動部材が閉位置にあるとき、流体流動部材の少なくとも一部は、接続部材の側壁の間に配置されてもよく、及び／または接続部材の上面に接触してもよい。
【００２３】
流体流動部材は、蓋に旋回可能に結合されてもよく、流体流動部材は、アパーチャまたは開口部を含んでもよい。流体経路の一部は、流体流動部材内の開口部内に配置され、整列され、及び／または開口部を通って延在することができる。流体流動部材、接続部材、及びアクチベータが閉位置にあるとき、流体流動部材内の開口部は、接続部材の本体の長さに対してほぼ垂直に配置されてもよい。流体流動部材、接続部材、及びアクチベータが閉位置にあるとき、流体経路の上部分は、接続部材の本体の長さにほぼ平行に配置されてもよい。流体流動部材、接続部材、及アクチベータが開位置にあるとき、流体流動部材のアパーチャは、蓋の本体内のアパーチャとほぼ整列してもよい。流体流動部材のアパーチャ及び蓋の本体のアパーチャは、容器の内外への流体流動を容易にすることができる。
【００２４】
流体経路は、可撓性部分を含み得、流体経路は、容器の中へ及び／または容器から出る流体のための通路を提供するのを助けることができる。例えば、流体経路は、流体流動部材のアパーチャ及び蓋の本体のアパーチャ内に少なくとも部分的に配置されてもよく、及び／または整列してもよい。流体経路は、使用者が容器から流体を飲むことを可能にするためのマウスピースを含むことができる。流体経路及び／または蓋は、ストローに接続されることを意図した部分を含むことができ、ストローの少なくとも一部は、容器内に配置され得る。流体経路は、次に流体がストロー、容器の本体の開口部、流体経路の可撓性部分、及びマウスピースを通って流動することを可能にすることができる。可撓性部分は、流体流動部材が開位置と閉位置との間で動くことを可能にすることができる。可撓性部分はまた、流体経路の一部が閉じられるかまたは挟まれることを可能にし得る。例えば、流体経路を通る流体の流動を防止するように接続部材が閉位置にあるとき、接続部材は可撓性部分に係合することができる。一実施形態では、接続部材は、接続部材が閉位置にあるとき、流体流動を防止するために可撓性部分を少なくとも部分的に潰すか、または挟むことができる。流体経路を通る流体の流動は、例えば、流体流動部材を閉じることなどによるように、可撓性部分を曲げるか、及び／または接続部材が閉位置にあるとき、可撓性部分と係合する接続部材などによるように、可撓性部分の一部を挟むか、のいずれかまたは両方によって防止することができることが理解されよう。
【００２５】
流体流動部材が開位置にあるとき、流体流動部材の可撓性部分は、ほぼ線状または直線状構成で配置されてもよい。流体流動部材の可撓性部分は、流体流動部材が閉位置にあるとき、角度のあるまたは曲がった構成で配置されてもよい。より詳細には、流体流動部材、接続部材、及びアクチベータが開位置と閉位置との間で動くとき、流体経路の可撓性部分は、曲がりまたは真っ直ぐになる可能性がある。例えば、流体流動部材が閉位置にあるとき、流体流動部材は流体経路の可撓性部分を約９０度曲げることができる。しかしながら、流体経路の可撓性部分は、流体流動部材が開位置にあるとき、ほぼ直線状に配置されてもよい。
【００２６】
蓋は、バルブ、圧力解放、または容器からの飲み込みを容易にし得る別の開口部をさらに含むことができる。バルブは、蓋の本体内に配置されてもよく、バルブは、蓋の開口部よりも小さくてもよい。バルブは、容器内の圧力を低下させるか、または逃がすために設計された一方向バルブであってもよく、これはストローを介して流体を吸引するとき、生成されてもよい。バルブは、蓋の中心に向かって、蓋の本体のアパーチャに近接して配置されてもよい。接続部材は、間隙のような開口部を含んでもよく、接続部材が開位置にあるとき、間隙は、バルブと整列されてもよい。バルブと接続部材の開口部とが整列すると、バルブを通る空気の流動が可能になる。一方、例示的な一実施形態では、バルブと接続部材内の開口部とが整列していないとき、空気または他の流体がバルブを通って流動することができない。別の例示的な実施形態では、流体経路の一部は、蓋が閉じられたとき、接続部材内の開口部に配置され、及び／またはバルブと整列して、バルブを通る流体流動を防止し得る。
【００２７】
当業者であれば、本開示を検討した後、蓋及び／または容器が任意の好適な数の部品及び構成要素を含むことができることを理解するであろう。さらに、当業者は、本開示を検討した後に、例えば、蓋または容器の意図された使用に応じて、蓋及び／または容器が他の適切な形状、サイズ、構成及び配置を有することができることを認識するであろう。
【００２８】
本発明のこれら及び他の態様、特徴、及び利点は、以下の図面の簡単な説明、図面、発明を実施するための形態、及び添付の特許請求の範囲からより完全に明らかになるであろう。
【００２９】
添付の図面は、本発明の上記及び他の態様、利点、及び特徴をさらに説明及び明確にするための好ましい実施形態の図を含む。これらの図面は、本発明の好ましい実施形態のみを示しており、その範囲を制限するものではないことが理解されよう。付加的に、図面は、本発明の好ましい大きさ、縮尺、関係及び構成を示しているが、図面は、請求された発明の範囲を限定するものではないことを理解されたい。本発明は、添付の図面を使用して、さらなる特殊性及び詳細を用いて記載及び説明される。
【図面の簡単な説明】
【００３０】
【図１】閉位置にある蓋を示す例示的な容器及び蓋の斜視図である。
【図２】開位置の蓋を示す、容器及び蓋の別の斜視図である。
【図３】容器及び蓋の分解斜視図である。
【図４Ａ】例示的なストローコネクタの上方斜視図である。
【図４Ｂ】図４Ａに示すストローコネクタの後部斜視図である。
【図５Ａ】図１に示される蓋の一部の拡大された上方斜視図である。
【図５Ｂ】図５Ａに示される蓋の一部の別の上方斜視図である。
【図６Ａ】例示的な接続部材の上方斜視図である。
【図６Ｂ】図６Ａに示す接続部材の下方斜視図である。
【図７Ａ】例示的なアクチベータの上方斜視図である。
【図７Ｂ】図７Ａに示されるアクチベータの下方斜視図である。
【図８Ａ】例示的な流体流動部材の上方斜視図である。
【図８Ｂ】図８Ａに示す流体流動部材の下方斜視図である。
【図９Ａ】例示的な蓋ガスケットの上方斜視図である。
【図９Ｂ】図９Ａに示された蓋ガスケットの下方斜視図である。
【図１０Ａ】閉位置にある蓋と、ロック位置にある例示的なロック部材を示す別の例示的な蓋の上方斜視図である。
【図１０Ｂ】蓋が閉位置にあり、ロック部材がロック解除位置にあることを示す、図１０Ａに示す蓋の上方斜視図である。
【図１０Ｃ】図１０Ａに示す蓋の上方斜視図であり、蓋が開位置にあり、ロック部材がロック解除位置にあることを示している。
【発明を実施するための形態】
【００３１】
本発明は、概して、容器の蓋に関する。しかしながら、本発明の原理は、容器の蓋に限定されない。本開示に照らして、本明細書に開示される蓋及び容器は、様々な形状、サイズ、構成、及び配置を有し得ることが理解される。また、蓋及び容器は、任意の好適な数及び特徴、構成要素、態様などの組み合わせを含み得ることも理解される。さらに、添付図面に示された蓋及び容器は、特定のスタイル及び構成を有するものとして示されているが、蓋及び容器は、任意の好適なスタイルまたは構成を有することができることが理解されよう。さらに、本明細書で開示される蓋及び容器は、他のタイプの物体及びデバイスに関連して首尾よく使用され得る。
【００３２】
付加的に、蓋及び容器の様々な例示的実施形態の説明を助けるために、上部、下部、前部、後部、右及び左などの単語は、付随する図面を説明するために使用され、必ずしも必要ではないが、縮尺通りに描かれている。開示された蓋及び容器の例示的な実施形態は、様々な位置または向きに配置され、多数の場所、環境、及び配置において使用され得ることがさらに理解される。
【００３３】
例示的な実施形態が以下に詳細に開示され、記載されているが、異なる実施形態が、１つ以上の異なる部品、構成要素、特徴、及び態様を有し得ることが理解され、異なる部品、構成要素、特徴、及び態様は必要であるわけではない。異なる実施形態は、例えば、蓋及び容器の意図された使用に応じて、これらの部品、構成要素、特徴及び態様の様々な組み合わせを含むことができることも理解される。
【００３４】
図１に示すように、例示的な実施形態は、容器１０を含むことができ、容器は、水、味付けされた水、ジュース、ビタミン強化飲料、エネルギー飲料、渇き止め剤、ソーダなどの１つ以上の液体または流体、などを保持するように寸法決めされかつ構成されることができる。容器１０はまた、ビタミン、サプリメント、粉末飲料、電解質丸剤、プロティーン粉末、医薬品、粉ミルクなどのような混合物または溶液を保持することもできる。容器１０はまた、果物、野菜、スープ、ドレッシング、ソース、スムージー、生地、ベーキング材料などの食料品を保持することもできる。さらに、容器１０は、塗料、洗剤などの非食用材料を含むことができる。したがって、容器１０は、例えば、容器１０の意図された使用に応じて、液体、流体及び／または固体のような様々な品目を保持することができる。
【００３５】
容器１０に蓋１２を取り付けることができる。蓋は、上面１４及び外壁またはスカート１６を含むことができる。いくつかの実施形態では、蓋１２を容器１０に選択的に取り付けることができる。例えば、蓋１２は、ねじ接続によって容器１０に接続することができる。特に、蓋１２のスカート１６は、１つ以上の雌ねじを含むことができ、容器の上部分１８は、図３に示すように、１つ以上の雄ねじ２０を含むことができる。雌ねじ及び雄ねじ２０は、蓋１２が容器１０に選択的に接続され、接続解除されることを可能にする。蓋１２及び容器１０は、摩擦嵌め、締まり嵌め、スナップ嵌め、締結具、クリップなどのような任意の好適な材料で接続されてもよいことが理解されよう。蓋１２はまた、容器１０に恒久的に接続されてもよく、必要に応じて、容器及び蓋は、単一の一体構造の一部として一体的に形成されてもよい。
【００３６】
容器１０は、ベースまたは下部分２４及び中央部分２６を有する本体２２を含むことができる。当業者であれば、本開示を検討した後、容器１０は異なる形状、サイズ、構成、配置、特徴及び態様を有してもよいことが理解されよう。容器の例示的な実施形態、及び容器１０と共に使用することができる様々な形状、サイズ、構成、配置、特徴及び態様が、米国意匠特許第５１０，２３５号、同第６７７，１２１号、同第６９７，７９８号及び同第７２７，０９７号、米国特許第８，６９５，８３０号及び同第８，８３３，５８６号、米国特許出願公開第２０１４／００９１０８６号及び同第２０１４／０３６０９０８号に示され、これらの各々は、参照によりその全体が本明細書に組み込まれる。
【００３７】
図１及び図２に示すように、蓋１２は、流体流動部材２８、接続部材３０、及びアクチベータ３２のうちの１つ以上を含むことができる。流体流動部材２８、接続部材３０、及び／またはアクチベータ３２は、相互接続されていてもよい。流体流動部材２８、接続部材３０、及び／またはアクチベータ３２は、開位置と閉位置との間で可動である。いくつかの実施形態では、流体流動部材２８、接続部材３０、及び／またはアクチベータ３２は、開位置と閉位置との間で同時にまたは依存して動くように結合または連結されてもよい。例えば、流体流動部材２８、接続部材３０及び／またはアクチベータ３２は、流体流動部材、接続部材、及び／またはアクチベータが同時に開位置と閉位置との間で動くことができるように、旋回可能に結合され得る。
【００３８】
蓋はまた、流体流動を容易にする流体経路３４を含むことができる。流体経路３４は、内部通路などの通路を有する構造物であってもよく、流体は通路を通って流動してもよい。流体経路３４は、ほぼ管状または円筒形状の構成を有する細長い構造であってもよい。流体経路３４の少なくとも一部は、流体流動部材２８内に配置され、流体流動部材の動きは、流体経路の少なくとも一部を動かすことができる。流体経路３４の第１の端部は、容器１０からの飲み込みを容易にするためにマウスピースの少なくとも一部を形成し、流体経路の第２の端部は、蓋１２の開口部に接続されているか、流体連通していてもよい。流体経路３４の第２の端部は、以下により詳細に説明するように、ストローに接続されているか、またはストローと流体連通していてもよい。
【００３９】
流体流動部材２８、接続部材３０、及びアクチベータ３２が閉位置にあるとき、容器１０は図１に示すように閉位置にあり得、流体が容器から出ることを防止することができる。流体流動部材２８、接続部材３０、及びアクチベータ３２が開位置にあるとき、容器１０は図２に示すように開位置にあり、流体は流体経路３４を通って流動することができる。
【００４０】
アクチベータ３２は、アクチベータの上面から概して上方及び／または外側に延在する延長部３６を含むことができる。延長部３６は、ハンドルまたは運搬部材の少なくとも一部を形成してもよく、運搬部材は、図１に示すようなループ形状の構成を有してもよい。延長部３６は、容器１０の運搬を容易にすることができ、延長部は、１つ以上の品物を容器及び／または蓋１２に取り付けることを容易にすることができる。延長部３６はまた、アクチベータ３２の動きを容易にすることができる。例えば、延長部３６は、アクチベータ３２を開位置と閉位置との間で動くことを助けることができる。特に、概して下向きの力のように、延長部３６の一方の側部に加えられる力は、アクチベータ３２を開位置に動かすことができる。一般的に上向きの力のように、延長部３６の他方の側部に加えられる力は、アクチベータ３２を閉位置に動かすことができる。
【００４１】
アクチベータ３２は、接続部材３０に旋回可能に結合されてもよい。例えば、図２及び図６Ａ〜６Ｂに示すように、接続部材３０は、１つ以上の側壁３８を含み得、アクチベータ３２は、側壁に旋回可能に結合され得る。特に、側壁３８は１つ以上の突出部４０を含み、突出部はアクチベータ３２の１つ以上の受容部分４２（より明確に図７Ａ〜７Ｂに示される受容部分４２）に挿入され得る。当業者であれば、本開示を検討した後で、アクチベータ３２及び接続部材３０が、すき間嵌め、摩擦嵌め、締まり嵌め、スナップ嵌めなどの任意の好適な方法で接続され得ることを理解するであろう。
【００４２】
アクチベータ３２は、蓋１２に旋回可能に結合されていてもよい。例えば、アクチベータ３２は、便宜上近位端部と呼ばれ、蓋１２に接続されるように寸法決めされかつ構成される、図７Ａ〜図７Ｂに示す端部４４を含むことができる。特に、アクチベータ３２は、１つ以上のフランジ４６及び１つ以上の突出部４８を含むことができる。突出部４８は、図５Ａ〜図５Ｂに示すように、蓋１２の１つ以上の受容部分５０に挿入されてもよい。当業者であれば、本開示を検討した後で、アクチベータ３２及び蓋１２が、すき間嵌め、摩擦嵌め、締まり嵌め、スナップ嵌めなどの任意の好適な方法で接続され得ることを理解するであろう。
【００４３】
流体流動部材２８は、接続部材３０に旋回可能に結合されてもよい。例えば、流体流動部材２８は、接続部材３０の側壁３８に旋回可能に結合されてもよい。特に、図２及び図６Ａ〜図６Ｂに示すように、接続部材３０の側壁３８は、流体流動部材２８の１つ以上の受容部分５４に挿入される１つ以上の突出部５２を含むことができる（受容部分５４は図８Ａ〜図８Ｂにさらに明確に示されている）。いくつかの実施形態では、流体流動部材２８は、アクチベータ３２と同様に側壁３８の対向する端部に旋回可能に結合することができる。当業者であれば、本開示を検討した後で、流体流動部材２８及び接続部材３０を、すき間嵌め、摩擦嵌め、締まり嵌め、スナップ嵌めなどの任意の好適な方法で接続され得ることを理解するであろう。
【００４４】
流体流動部材２８は、蓋１２に旋回可能に結合されてもよい。例えば、流体流動部材２８は、図５Ａ〜図５Ｂに示す蓋１２の１つ以上の受容部分５８に挿入することができる、図８Ａ〜図８Ｂに示す１つ以上の突出部５６を含むことができる。当業者であれば、本開示を検討した後で、流体流動部材２８及び蓋１２を、すき間嵌め、摩擦嵌め、締まり嵌め、スナップ嵌めなどの任意の好適な方法で接続され得ることを理解するであろう。
【００４５】
流体流動部材２８、接続部材３０、及びアクチベータ３２は相互接続されてもよく、アクチベータの動きによって接続部材及び流体流動部材を動かすことができる。例えば、アクチベータ３２が閉位置から開位置に動くと、接続部材３０及び流体流動部材２８が閉位置から開位置に動くことができる。同様に、アクチベータ３２の開位置から閉位置への動きは、接続部材３０及び流体流動部材２８を開位置から閉位置に動かすことができる。
【００４６】
より詳細には、接続部材３０の突出部４０とアクチベータ３２の受容部分４２とは、旋回可能結合部を形成することができる。アクチベータ３２の突出部４８及び蓋１２の受容部分５０は、別の旋回可能結合部を形成することができる。したがって、アクチベータ３２は、蓋１２及び接続部材３０の両方に旋回可能に結合されてもよい。
【００４７】
接続部材３０の突出部５２及び流体流動部材２８の受容部分５４は、さらに別の旋回可能結合部を形成することができる。流体流動部材２８の突出部５６及び蓋１２の受容部分５８は、さらなる旋回可能結合部を形成することができる。したがって、流体流動部材２８は、蓋１２及び接続部材３０の両方に旋回可能に結合することができる。この例示的な実施形態では、アクチベータ３２は、第１の旋回可能結合部によって蓋１２に旋回可能に結合することができ、アクチベータは、第２の旋回可能結合部によって接続部材３０に旋回可能に結合することができ、流体流動部材２８は、第３の旋回可能結合部によって蓋に旋回可能に結合することができ、流体流動部材は、接続部材に旋回可能に結合することができる。したがって、蓋１２、アクチベータ３２、接続部材３０、及び流体流動部材２８は、４つの旋回点で接続されてもよい。アクチベータ３２、接続部材３０、及び流体流動部材２８が閉位置にあるとき、４つの旋回点の位置決めまたは幾何学的形状は、蓋１２を閉位置に保持または維持するのを助けるアクチベータと流体流動部材との間に圧力または力を生成するオーバーセンターラッチ、リンクまたは機構を提供することができる。この例示的な構成では、アクチベータ３２を作動させて開位置に動かす必要がある。例示的なオーバーセンターラッチアセンブリが、米国特許第８，８４４，７４６号に示され、参照によりその全体が本明細書に組み込まれる。
【００４８】
上述したように、流体流動部材２８、接続部材３０、及びアクチベータ３２は、アクチベータに力を加えることによって、開位置と閉位置との間で動くことができる。特に、使用者は、流体流動部材２８、接続部材３０、及びアクチベータ３２を開位置と閉位置との間で動かすために、アクチベータ３２の延長部３６に力を加えることができる。さらに詳細には、使用者は、アクチベータ３２を閉位置から開位置に動かすために、延長部３６の第１の部分に開放力を加えることができる。使用者はまた、延長部３６の第２の部分に閉鎖力を加えて、アクチベータ３２を開位置から閉位置に動かすことができる。
【００４９】
意義深いことに、使用者は、蓋１２を開閉するため、及び／または流体流動を制御して使用者が容器１０から流体を飲むことを可能にするために、アクチベータ３２の延長部３６に触れるだけでよい。使用者は、蓋１２を開閉するために延長部３６に触れるだけでよいため、これは、使用者の手が汚れているまたは洗われていない、手袋を着用している、使用者の手が汗ばんでいるまたは汗をかいているなどのときの蓋の使用を容易にすることができる。重要なことには、これは、使用者の口に接触する可能性のある面に触れないことが望ましい場合がある、運動、ボディビル、登山、園芸、建設、修理、クリーニング、手袋の着用などの環境で蓋１２の使用を容易にすることができる。
【００５０】
アクチベータ３２が閉位置にあるとき、延長部３６はほぼ上方向に配置されてもよい。アクチベータ３２が開位置にあるとき、延長部３６は、概して下方向に配置されてもよく、及び／または蓋の上面１４及び／または蓋１２のスカート１６の外縁部のような蓋１２の一部に接触することができる。
【００５１】
図８Ａ〜図８Ｂに示すように、流体流動部材２８はアパーチャ６０を含み、流体経路３４の一部はアパーチャ内に配置することができる。流体流動部材２８が閉位置にあるとき、アパーチャ６０は、接続部材３０の本体６２の長さとほぼ平行に配置され、整列してもよい。また、流体流動部材２８が閉位置にあるとき、流体流動部材の少なくとも一部は、接続部材３０の側壁３８の間に配置されてもよく、及び／または接続部材３０の本体６２の上面に接触してもよい。
【００５２】
流体流動部材２８が閉位置にあるとき、流体経路３４の一部は、接続部材３０の本体６２にほぼ平行に配置されてもよい。より詳細には、マウスピースのような流体経路３４の端部または上部分６４は、蓋１２の上面１４とほぼ平行に配置され、マウスピースの少なくとも一部は、蓋が閉じられたとき、アクチベータ３２の一部の下に配置させることができる。これはマウスピース６４を損傷から保護し、及び／または汚れるまたは汚染されるのを保護するのに役立つ。
【００５３】
図４Ａ〜４Ｂに示すように、流体経路３４は、上端部６４、位置決め部材６６、可撓性部分６８、及び下端部７０を含むことができる。使用者は、容器１０から流体を飲むために、上端部またはマウスピース６４を吸引することができる。位置決め部材６６は、例えば、摩擦または締まり嵌めなどによって、流体経路３４を流体流動部材２８に位置決め及び／または接続するのを助けるように寸法決め及び構成されることができる。可撓性部分６８は、プラスチック、ゴムなどのような任意の適切な可撓性材料から構築することができる。内部通路または中空内部部分としてもよい流体通路は、上端部６４、位置決め部材（ｐｏｓｉｔｉｏｎ  ｍｅｍｂｅｒ）６６、可撓性部分６８及び下端部７０に配置されてもよく、流体通路は、流体が流体経路３４を通って流動することを可能にする。添付の図に示すように、上端部６４、可撓性部分６８及び下端部７０は、ほぼ円筒形または管状の構成を有してもよい。当業者であれば、本開示を読んだ後に、流体経路３４が他の好適な形状、サイズ、構成、及び配置を有することを理解するであろう。
【００５４】
流体経路３４の下端部７０は、図５Ａ〜図５Ｂに示す蓋１２の本体７４内のアパーチャ７２に結合、接続、整列及び／または流体連通することができる。例えば、流体経路３４の下端部７０は、アパーチャ７２内に少なくとも部分的に配置されてもよい。流体経路３４の下端部７０は、必要に応じて、摩擦嵌め、締まり嵌め、スナップ嵌め、締結具、クリップなどの任意の好適な方法で蓋に接続することができる。より詳細には、流体経路３４の下端部７０は、下端部が摩擦または締まり嵌めによってアパーチャに結合されるように、アパーチャ７２内に嵌合するように寸法決めされかつ構成されることができ、流体がアパーチャを通って容器１０から漏れることを防止する。
【００５５】
いくつかの実施形態では、ストロー７６を容器１０内に少なくとも部分的に配置することができ、ストローは、流体経路３４の下端部７０及び／または蓋１２のアパーチャ７２に、摩擦嵌め、締まり嵌め、スナップ嵌め、締結具、クリップなどの任意の好適な方法で結合することができる。例えば、ストロー７６の直径は、流体経路３４の下端部７０及び／または蓋のアパーチャ７２の直径よりも大きくても小さくてもよく、これは、ストローを摩擦または締まり嵌めにより流体経路またはアパーチャに接続することを可能にする。ストロー７６及び流体経路３４は、流体が容器１０から流体経路を通ってマウスピース６４に流動することを可能にする流体通路を提供することができる。
【００５６】
流体流動部材２８が開位置にあるとき、流体流動部材のアパーチャ６０は、蓋１２のアパーチャ７２とほぼ整列してもよく、流体経路３４の可撓性部分６８は、ほぼ真っ直ぐまたは直線構成で配置され得る。この構成により、流体が容器１０から流体経路３４を通って流動することが可能になる。一方、流体流動部材２８が閉位置にあるとき、流体流動部材のアパーチャ６０は、蓋１２のアパーチャ７２と整列しなくてもよく、流体経路３４の可撓性部分６８は、少なくとも６０°、７０°、８０°、９０°またはそれ以上の角度のある位置に配置することができる。この構成では、流体経路３４の可撓性部分６８は、流体通路を通って流体が流動するのを防止し得る流体通路を挟むか、または閉じるために、角度を付けられるかまたは曲げられ得る。
【００５７】
より詳細には、接続部材３０及びアクチベータ３２が開位置と閉位置との間で動くとき、流体経路３４の可撓性部分６８は、曲がる及び／または真っ直ぐになるように構成され得る。例えば、流体流動部材２８、接続部材３０、及びアクチベータ３２が開位置から閉位置に動くとき、流体経路３４の可撓性部分６８は、例えば、約６０°、７０°、８０°、９０°、またはそれ以上などの角度であり得る。代替的に、流体流動部材２８、接続部材３０、及びアクチベータ３２が閉位置から開位置に動くとき、流体経路３４の可撓性部分６８は、可撓性部分が約３０°、２０°、１０°またはそれ以下の角度で曲げられるように、少なくとも実質的に真っ直ぐに延ばすことができる。
【００５８】
流体流動部材２８、接続部材３０、及びアクチベータ３２が閉位置にあるとき、接続部材は、可撓性部分６８の一部を挟むか、またはさもなければ閉じるように構成されて、流体が流体経路３４の可撓性部分を通って流動するのを防止することができる。流体流動部材２８、接続部材３０、及びアクチベータ３２が開位置にあるとき、接続部材は可撓性部分６８を挟むまたは閉じることができず、これにより、流体経路３４を通って流体が流動することができる。
【００５９】
いくつかの実施形態では、流体経路３４の可撓性部分６８の曲げは、流体経路を通る流体流動を防止することができる。他の実施形態では、接続部材３０が、流体経路３４の一部を挟むか、または閉じて、流体経路を通る流体流動を防ぐことができる。必要に応じて、流体経路３４の可撓性部分６８の曲げ及び／また接続部材３０の動きは、流体経路を通る流体流動を防止するために、流体経路３４の一部を独立して及び／または組み合わせて閉じることができる。
【００６０】
いくつかの実施形態では、蓋１２は、図５Ｂに示すように、開口部８０を含むことができる。開口部８０は、蓋の本体７４内に位置してもよく、開口部は、アパーチャ７２よりも小さくてもよい。開口部８０は、空気が容器１０に出入りすることを可能にするように寸法決めされかつ構成されることができる。例えば、開口部８０は、容器１０から飲むとき、生成される圧力を低減または緩和するように設計されてもよい。開口部８０は、必要に応じて、一方向バルブなどのバルブ、または他の好適な構造を含むことができる。
【００６１】
図６Ａ〜６Ｂに示すように、接続部材３０は、間隙などの開口部８２を含むことができる。開口部８２は、例えば、接続部材３０の本体６２内に配置することができる。流体流動部材２８、接続部材３０、及びアクチベータ３２が開位置にあるとき、開口部８２は、バルブ８０の真上に配置される、及び／またはそれとほぼ整列してもよく、これにより、バルブを通って空気が流動することができる。流体流動部材２８、接続部材３０及びアクチベータ３２が閉位置にあるとき、開口部８２はバルブ８０と整列することができず、これによりバルブを通る流体の流動を妨げることができる。いくつかの実施形態では、流体流動部材２８、接続部材３０及びアクチベータ３２がバルブを通る流体流動を妨げる場合がある閉位置にあるとき、突出部または突起のような流体経路３４の一部は、少なくとも部分的にバルブ８０及び／または開口部８２内を覆い、及び／またはそれらの内部に配置され得る。
【００６２】
いくつかの実施形態では、容器１０は、蓋１２と容器１０の本体２２との間に液密シールを生成するのを助けることができるガスケット８４を含むことができる。例示的なガスケット８４を図９Ａ及び図９Ｂに示す。
【００６３】
いくつかの実施形態では、蓋１２の少なくとも一部を閉位置にロックするためにロック機構を使用することができる。例えば、ロック機構は、ロック部材８６を含むことができ、ロック部材８６は、アクチベータ３２、接続部材３０及び／または流体流動部材２８を閉位置にロックすることができる。アクチベータ３２、接続部材３０及び／または流体流動部材２８を閉位置から開位置に動かし得る前に、ロック部材８６を解放またはロック解除しなければならない場合がある。
【００６４】
より詳細には、図１０Ａ、図１０Ｂ、及び図１０Ｃに示されるように、ロック部材８６は、蓋１２の後部に配置されてもよい。例えば、ロック部材８６は、外壁またはスカート１６に接続されてもよく、ロック部材は、図１０Ａに示されるようなロック位置と、図１０Ｂ及び１０Ｃに示されるようなロック解除位置との間で可動であり得る。例示的な一実施形態では、ロック部材８６の下部分はスカート１６に旋回可能に結合され、ロック部材の上部分は、ロック部材がロック位置にあるとき、アクチベータ３２の一部に係合する係合部分を含むことができる。例えば、ロック部材８６は受容部分を含むことができ、ロック部材がロック位置にあるとき、アクチベータ３２の少なくとも一部を受容部分に露出させることができる。代替的に、アクチベータ３２は受容部分を含むことができ、ロック部材がロック位置にあるとき、ロック部材８６の少なくとも一部を受容部分に配置することができる。当業者であれば、本開示を検討した後に、ロック機構及びロック部材８６は、例えば、蓋１２の意図された使用に応じて、他の形状、サイズ、構成及び配置を有し得ることを理解するであろう。ロック機構またはロック部材８６は必要ではないことも理解されよう。
【００６５】
蓋１２を開くことが望まれるとき、力が延長部３６に加えられてもよい。特に、概して下向き及び／または後向きの力が延長部３６の第１の部分に加えられ、アクチベータ３２を閉位置から開位置に動かすことができる。アクチベータ３２の動きにより、接続部材３０及び／または流体流動部材２８が閉位置から開位置に動かすことができる。都合がよいことに、使用者は、蓋１２が開位置にあるとき、容器１０から飲むことができる。蓋１２を閉じることが望ましい場合、延長部３６の第２の部分にほぼ上方及び／または前方の力が作用して、アクチベータ３２を開位置から閉位置に動かすことができる。アクチベータ３２の開位置から閉位置への動きは、接続部材３０及び／または流体流動部材２８を開位置から閉位置に動かすことができる。流体流動部材２８が閉位置にあるとき、アクチベータ３２は、マウスピースのような流体流動部材の少なくとも一部を覆うことができる。したがって、アクチベータ３２は、流体流動部材２８及びアクチベータ３２が閉位置にあるとき、マウスピースを損傷、汚れなどから保護するのを助けることができる。
【００６６】
ロック機構を有する実施形態では、ロック部材８６を使用して、蓋１２を閉位置に維持及び／または固定することができる。この例示的な実施形態では、蓋１２を開くことが望ましいとき、ロック部材８６に力が加えられ、ロック部材がロック位置からロック解除位置に動かすことができる。ロック部材８６がロック解除されると、アクチベータ３２は閉位置から開位置に動かすことができ、この動きによって接続部材３０及び／または流体流動部材２８を閉位置から開位置に動かすことができる。必要に応じて、ロック部材８６を使用して、蓋１２を開位置に維持及び／または固定することができる。アクチベータ３２が閉位置に動くと、ロック部材８６はアクチベータを閉位置に自動的にロックすることが好ましい。例えば、容器１０及び／または蓋１２の意図された使用に応じて、ロック部材８６を自動及び／または手動でロック及び／またはロック解除することができる。
【００６７】
この開示を検討した後に、当業者であれば、流体流動部材２８、接続部材３０、アクチベータ３２、及び流体経路３４が、例えば、容器１０及び／または蓋１２のサイズ及び形状に応じて、他の好適な形状、形状、構成及び配置を有することを理解するであろう。
【００６８】
容器１０及び蓋１２は、耐久性のある長持ちする材料から構築することができる。容器１０及び蓋１２はまた、再利用及び／またはリサイクルされ得る材料から構築することができる。容器１０及び蓋１２は、例えば、プラスチック、ポリマー、及び複合材などの比較的剛性で耐久性があり、高強度の材料から構築することができる。特に、容器１０及び蓋１２は、ポリエチレン、コポリエステル、または類似の性質及び／または特性を有する他の材料などの材料から構築することができる。この開示を考慮すると、容器１０及び蓋１２は、異なるタイプのプラスチック、ガラス、金属、複合材などの所望の性質を有する様々な材料から構築されてもよいことが、当業者には理解されよう。付加的に、容器１０及び蓋１２は、少なくとも部分的に透明または半透明の材料から構築することができ、使用者は、容器内の流体の種類及び／または量を見ることができる。
【００６９】
都合がよいことに、蓋１２は、使用及び操作が簡単であり得る。さらに、蓋１２は、迅速にかつ容易に組み立てられ、洗浄され、かつ分解され得る。さらに、蓋１２は、効率的に製造され、容易に修理され、かつ／または便利に交換され得る。
【００７０】
本発明は、その精神または本質的な特性から逸脱することなく、他の特定の形態で具体化することができる。記載された実施形態は、すべての点において、例示的なものであって限定的なものではないとみなされるべきである。したがって、本発明の範囲は、前述の説明によってではなく、添付の特許請求の範囲によって示される。特許請求の範囲と均等の意味及び範囲内に入るすべての変更は、その範囲内に含まれるべきである。
【図１】
2020114755.tif 000003
【図２】
2020114755.tif 000004
【図３】
2020114755.tif 000005
【図４Ａ】
2020114755.tif 000006
【図４Ｂ】
2020114755.tif 000007
【図５Ａ】
2020114755.tif 000008
【図５Ｂ】
2020114755.tif 000009
【図６Ａ】
2020114755.tif 000010
【図６Ｂ】
2020114755.tif 000011
【図７Ａ】
2020114755.tif 000012
【図７Ｂ】
2020114755.tif 000013
【図８Ａ】
2020114755.tif 000014
【図８Ｂ】
2020114755.tif 000015
【図９Ａ】
2020114755.tif 000016
【図９Ｂ】
2020114755.tif 000017
【図１０Ａ】
2020114755.tif 000018
【図１０Ｂ】
2020114755.tif 000019
【図１０Ｃ】
2020114755.tif 000020